(57)【特許請求の範囲】
【請求項１】
長手方向に伸長可能で、伸長させた時に弾性的収縮性を有する細長い合成樹脂から成る基材片と、該基材片の両面又は片面に形成された粘着剤層とを有するテープ状部材により構成され、
該基材片の上記弾性的収縮性を利用して瞼にくびれ部を形成することにより、瞼に擬似的な整形を施すための化粧用瞼整形テープであって、
上記テープ状部材は、上記長手方向の両端を規定する第１端及び第２端を有するとともに、平面視において、上記第１端から上記第２端に至る上記長手方向の全域に亘って直線状に延びる第１の側端面及び第２の側端面を有し、
上記第１端は、平面視において、上記第１の側端面と直交する幅方向に直線状に延びているとともに、両端が上記第１の側端面及び上記第２の側端面に連結された端面によって形成され、
上記第１の側端面と上記第２の側端面とが、上記テープ状部材の上記第２端で互いに交差しており、
それにより、上記第２の側端面が、上記テープ状部材における上記第１端から上記第２端に至る上記長手方向の全域において、上記幅方向における上記第１の側端面と上記第２の側端面との間の距離が上記第１端から上記第２端へと向うにしたがって連続的に小さくなるように、上記第１の側端面に対して傾斜している、
ことを特徴とするもの。
【請求項２】
長手方向に伸長可能で、伸長させた時に弾性的収縮性を有する細長い合成樹脂から成る基材片と、該基材片の両面又は片面に形成された粘着剤層とを有するテープ状部材により構成され、
該基材片の上記弾性的収縮性を利用して瞼にくびれ部を形成することにより、瞼に擬似的な整形を施すための化粧用瞼整形テープであって、
上記テープ状部材は、上記長手方向の両端を規定する第１端及び第２端を有するとともに、平面視において、上記第１端から上記第２端に至る上記長手方向の全域に亘って直線状に延びる第１の側端面及び第２の側端面を有し、
上記第１端及び上記第２端は、平面視において、上記第１の側端面と直交する幅方向に互いに平行を成して直線状に延びているとともに、両端が上記第１の側端面及び上記第２の側端面に連結された端面によって形成され、
上記第２端を形成する端面は、前記幅方向において、上記第１端を形成する端面よりも短く形成されており、
それにより、上記第２の側端面が、上記テープ状部材における上記第１端から上記第２端に至る上記長手方向の全域において、上記幅方向における上記第１の側端面と上記第２の側端面との間の距離が上記第１端から上記第２端へと向うにしたがって連続的に小さくなるように、上記第１の側端面に対して傾斜している、
ことを特徴とするもの。
【請求項３】
請求項１又は請求項２に記載の化粧用瞼整形テープであって、
上記基材片は、少なくとも第１基材層を有していて、
上記基材片の第１基材層は、上記テープ状部材を上記長手方向に伸長させたときに延伸されて、その延伸状態においても弾性的収縮性を有している、
ことを特徴とするもの。
【請求項４】
請求項３に記載の化粧用瞼整形テープであって、
上記基材片が、ポリオレフィン樹脂から成る上記第１基材層と、エラストマー樹脂から成る第２基材層との積層体によって形成されている、
ことを特徴とするもの。
【請求項５】
請求項４に記載の化粧用瞼整形テープであって、
上記第１基材片が低密度ポリエチレン樹脂から成り、上記第２基材層がポリウレタン樹脂から成っている、
ことを特徴とするもの。
【請求項６】
請求項１又は請求項２に記載の化粧用瞼整形テープであって、
上記化粧用瞼整形テープが、さらに、上記粘着剤層に対して易剥離性を有する合成樹脂により形成され、上記テープ状部材に上記粘着剤層を覆って貼着された剥離シート片を有しており、
上記剥離シート片が、その厚さ方向の中間までの深さを有して上記幅方向に延設された、上記長手方向への引張りにより破断する易破断部を有している、
ことを特徴とするもの。
【請求項７】
請求項１又は請求項２に記載の化粧用瞼整形テープであって、
上記化粧用瞼整形テープが、さらに、上記粘着剤層に対して易剥離性を有するフィルムにより形成され、上記テープ状部材の上記長手方向の中間部に上記粘着剤層を覆って貼着された剥離フィルム片を有しており、
上記テープ状部材は、上記長手方向において、上記中間部よりも第１端側及び第２端側が非粘着になっていて、
上記剥離フィルム片が、上記テープ状部材の上記長手方向の長さよりも短く形成され、上記第１端側及び第２端側の一部又は全部をそれぞれ露出させて、該テープ状部材上に延在している、
ことを特徴とするもの。
【請求項８】
請求項１−７の何れかに記載の化粧用瞼整形テープを用いた二重瞼の形成方法であって、以下のステップを有するもの。
１  上記テープ状部材の上記長手方向の第１端側及び第２端側を持って上記長手方向に引張ることにより、該テープ状部材を伸長させるステップ
２  上記ステップ１で伸長させた上記テープ状部材を引張ったままの状態で上瞼に押当てることにより、上記粘着剤で上瞼に貼付けるステップ
３  上記テープ状部材の引張りを解除して、上記上瞼に貼付けた該テープ状部材の基材片を弾性的に収縮させることにより、上瞼に該テープ状部材に沿ったくびれ部を形成するステップ
４  上瞼を開いた際に、該上瞼の皮膚が上記くびれ部で折り返されて、二重瞼の襞が形成されるステップ
【請求項９】
請求項１−７の何れかに記載の化粧用瞼整形テープの製造方法であって、以下のステップを含むもの。
１  上記基材片を形成する合成樹脂から成る基材シートの両面又は片面に、粘着剤層を形成した粘着シートを準備するステップ
２  切断刃で該粘着シートを切断することにより、上記テープ状部材を含んだ化粧用瞼整形テープを得るステップ
【発明の詳細な説明】
【技術分野】
【０００１】
本発明は、テープ状部材の弾性的な伸縮特性、具体的には、該テープ状部材を構成する伸長可能な合成樹脂から成る基材片の伸長時における弾性的な収縮性を利用して、瞼にくびれ部を形成することにより、上瞼に疑似的な二重瞼の襞を形成したりするなど、瞼に擬似的な整形を施すための化粧用瞼整形テープ、及びそれを用いた二重瞼の形成方法、並びに該化粧用瞼整形テープの製造方法に関するものである。
【０００２】
外科的な手術を伴うことなく、上瞼に擬似的な二重瞼を形成する二重瞼形成用化粧品としては、従来から、溶液を上瞼の皮膚上に塗布する溶液タイプ（特許文献１〜３）と粘着テープを上瞼の皮膚上に貼付するテープタイプ（特許文献４〜８）とが知られていた。
そして、これら溶液タイプ及びテープタイプのものは、二重瞼が形成される方式により、主として、両面粘着テープや接着剤等で上瞼の皮膚同士を折り畳んだ状態で接着させることにより二重瞼の襞を形成する方式（接着方式）と、溶液を上瞼の皮膚上に塗布して乾燥させたり、粘着テープを上瞼の皮膚上に貼付けたり等することにより、上瞼の皮膚上に硬質な被膜を形成し、上瞼を開いた際に、その被膜の上縁で上瞼の皮膚が折り返されて二重瞼の襞が形成される方式（シャッター方式）とに分類することができる。
しかしながら、これら従来の二重瞼形成用化粧品は、溶液又はテープによる接着や被膜を利用して無理に二重瞼の襞を形成するものであるため、形成される二重瞼が不自然になりがちであったり、特に上瞼を閉じた際に使用しているのが目立ち易かったり、使用者が引きつり感などの違和感を覚え易い等の問題点があった。
【０００３】
かかる問題点を解決するために、上記従来のものとは全く異なる方式によって二重瞼を形成する二重瞼形成用テープ（特許文献９）が提案された。この二重瞼形成用テープは、延伸可能でその延伸後にも弾性的な伸縮性を有する基材片に粘着剤を塗着して成るテープ状部材により構成されている。すなわち、該二重瞼形成用テープは、そのテープ状部材を構成する上記基材片の延伸後の弾性的な収縮性を利用して、そのテープ状部材に沿った凹溝状のくびれ部を上瞼に形成するもので、その結果、上瞼を開いた際に、該くびれ部で自然に上瞼の皮膚が折り返されて二重瞼の襞が形成されるようになっている。そして、現在、当該テープは、一重瞼を二重瞼にするばかりでなく、二重瞼の襞の位置や形状や上下方向の幅を変えたり、下瞼に所謂涙袋を形成したり等、瞼に様々なアイメイク（すなわち、擬似的な整形）を施すために使用されている。
【先行技術文献】
【特許文献】
【０００４】
【特許文献１】特開２００７−１０６７１１号公報
【特許文献２】登録実用新案第３１１１５１１号公報
【特許文献３】特開平０２−１８８５１２号公報
【特許文献４】登録実用新案第３１５４１３９公報
【特許文献５】特開平１０−３０４９３５号公報
【特許文献６】特開２００５−３３４１０８号公報
【特許文献７】特開２００７−１１１２１８号公報
【特許文献８】特開２００９−１９５４１０号公報
【特許文献９】特許第３２７７１８０号公報
【発明の概要】
【発明が解決しようとする課題】
【０００５】
このような、テープ状部材を構成する基材片の伸長時における弾性的な収縮性を利用して瞼にくびれ部を形成することにより、瞼に擬似的な整形を施すための化粧用瞼整形テープにおいては、使用の際に、テープ状部材を伸長させて引張ったままの状態で、瞼に押当てて貼付ける。ところが、瞼の皮膚は、眼球や眼球周りの骨格等に沿って湾曲した複雑な曲面で形成されていて、しかも、弾性を有していることから、上記押当てての貼付け操作により、上記テープ状部材における瞼に貼付けた部分の長手方向全体に亘って十分な接着性を確保することは必ずしも容易ではない。
そのため、使用者によっては、上記テープ状部材における瞼に貼付けた部分のうち、特に目頭側及び／又は目尻側の端部において、剥がれてしまい易くなることがあった。
【０００６】
そこで、本発明の技術的課題は、伸長可能な合成樹脂から成る基材片と、該基材片に塗着された粘着剤層とを有するテープ状部材により構成され、上記基材片を伸長させた時におけるその弾性的な収縮性を利用して瞼にくびれ部を形成することにより、瞼に擬似的な整形を施すための化粧用瞼整形テープにおいて、瞼の目頭側及び／又は目尻側の端部における上記テープ状部材の皮膚に対する接着性を改善したもの、及びそのテープを用いた二重瞼の形成方法、並びに該テープの製造方法を提供することにある。
【課題を解決するための手段】
【０００７】
上記課題を解決するため、本願の第１発明は、長手方向に伸長可能で、伸長させた時に弾性的収縮性を有する細長い合成樹脂から成る基材片と、該基材片の両面又は片面に形成された粘着剤層とを有するテープ状部材により構成され、該基材片の上記弾性的収縮性を利用して瞼にくびれ部を形成することにより、瞼に擬似的な整形を施すための化粧用瞼整形テープであって、上記テープ状部材は、上記長手方向の両端を規定する第１端及び第２端を有するとともに、平面視において、上記第１端から上記第２端に至る上記長手方向の全域に亘って直線状に延びる第１の側端面及び第２の側端面を有し、上記第１端は、平面視において、上記第１の側端面と直交する幅方向に直線状に延びているとともに、両端が上記第１の側端面及び上記第２の側端面に連結された端面によって形成され、上記第１の側端面と上記第２の側端面とが、上記テープ状部材の上記第２端で互いに交差しており、それにより、上記第２の側端面が、上記テープ状部材における上記第１端から上記第２端に至る上記長手方向の全域において、上記幅方向における上記第１の側端面と上記第２の側端面との間の距離が上記第１端から上記第２端へと向うにしたがって連続的に小さくなるように、上記第１の側端面に対して傾斜していることを特徴としている。
また、同じく上記課題を解決するため、本願の第２発明は、長手方向に伸長可能で、伸長させた時に弾性的収縮性を有する細長い合成樹脂から成る基材片と、該基材片の両面又は片面に形成された粘着剤層とを有するテープ状部材により構成され、該基材片の上記弾性的収縮性を利用して瞼にくびれ部を形成することにより、瞼に擬似的な整形を施すための化粧用瞼整形テープであって、上記テープ状部材は、上記長手方向の両端を規定する第１端及び第２端を有するとともに、平面視において、上記第１端から上記第２端に至る上記長手方向の全域に亘って直線状に延びる第１の側端面及び第２の側端面を有し、上記第１端及び上記第２端は、平面視において、上記第１の側端面と直交する幅方向に互いに平行を成して直線状に延びているとともに、両端が上記第１の側端面及び上記第２の側端面に連結された端面によって形成され、上記第２端を形成する端面は、前記幅方向において、上記第１端を形成する端面よりも短く形成されており、それにより、上記第２の側端面が、上記テープ状部材における上記第１端から上記第２端に至る上記長手方向の全域において、上記幅方向における上記第１の側端面と上記第２の側端面との間の距離が上記第１端から上記第２端へと向うにしたがって連続的に小さくなるように、上記第１の側端面に対して傾斜していることを特徴としている。
【０００８】
このような本発明（本願の第１及び第２発明）に係る化粧用瞼整形テープにおいては、上記テープ状部材の第１端側及び第２端側を指先で把持して長手方向に引張ると、基材片の伸長に伴って該テープ状部材が伸長されていくが、基材片は、その幅がより小さい部分からより大きい部分に向けて順次伸長されていく。このとき、上記基材片は、上記基材片の幅が大きい部分ほど接着面積及び粘着剤量が大となるため皮膚への接着性に優れており、また、該基材片を伸長させていくと同時に粘着剤層も延ばされて薄くなっていくことから、伸長率が小さい部分ほど皮膚への接着性に優れている。
【０００９】
すなわち、上記テープ状部材の基材片は、その横断面積が小さい部分ほど引張りに対する強度が弱くなる。そのため、上記基材片においては、基材片の幅がより小さい第２端側から、基材片の幅がより大きい第１端側に向けて順次伸長されていくこととなる。しかも、該基材片は、上記第１端側の幅が第２端側の幅よりも大きい。よって、上記基材片を伸長させたときに、該基材片の第１端側において、より優れた接着性を確保することが可能となる。
一方、上記基材片における接着性の改善が必要とされる部分以外では、基材片の幅をより小さくしたため、伸長させて瞼に貼付けた際に、テープ状部材を出来るだけ目立ち難くすることができる。
【００１０】
したがって、本発明のように、上記テープ状部材の長手方向の全域を、第１端から第２端に向かって上記基材片の幅が連続的に小さくなるように形成した場合、該基材片の第１端側において、より大きな接着力を確保することができるため、瞼の目頭側又は目尻側のうちテープ状部材がより剥がれ易い方に、上記基材片の第１端側を貼付けることにより、瞼の目頭側又は目尻側の端部において、瞼への接着性を改善することが可能となる。
しかも、本発明に係る化粧用瞼整形テープにおいては、上記テープ状部材が、平面視において、その第１端から第２端に向かって幅が小さくなる三角形又は台形に形成されているため、それらの製造にあたっては、歩留まりを向上させ、製造コストを抑制することができる。
【００１１】
上記基材片は、少なくとも第１基材層を有していて、上記基材片の第１基材層は、上記テープ状部材を上記長手方向に伸長させたときに延伸されて、その延伸状態においても弾性的収縮性を有していることが好ましい。
ここで、上記基材片が、ポリオレフィン樹脂から成る上記第１基材層と、エラストマー樹脂から成る第２基材層との積層体によって構成されていることが好ましく、その場合、より好ましくは、上記第１基材層が低密度ポリエチレン樹脂から成り、上記第２基材層がポリウレタン樹脂から成っている。
そうすることにより、第１基材層の弾性的収縮性と第２基材層の弾性的収縮性とを組合わせて、基材片の弾性的収縮性すなわちテープ状部材の弾性的収縮性を、くびれ部が形成され易い瞼からくびれ部が形成され難い瞼まで、様々な瞼の状態に幅広く対応させることができる。
【００１２】
そして、本発明においては、上記化粧用瞼整形テープが、さらに、上記粘着剤層に対して易剥離性を有する合成樹脂により形成され、上記テープ状部材に上記粘着剤層を覆って貼着された剥離シート片を有しており、上記剥離シート片が、その厚さ方向の中間までの深さを有して上記幅方向に延設された、上記長手方向への引張りにより破断する易破断部を有していても良い。
この場合、上記剥離シート片の上から上記テープ状部材の長手方向の第１端側及び第２端側を指先で把持して、テープ状部材を長手方向に引張ることにより、該剥離シート片の易破断部が破断すると共に該テープ状部材が伸長され、その結果、該テープ状部材の長手方向の中間部が、上記易破断部で分離された剥離シート片間に露出して現れるようになっている。
【００１３】
また、上記化粧用瞼整形テープが、上記剥離シートに代えて、さらに、上記粘着剤層に対して易剥離性を有するフィルムにより形成され、上記テープ状部材の上記長手方向の中間部に上記粘着剤層を覆って貼着された剥離フィルム片を有しており、上記テープ状部材は、上記長手方向において、上記中間部よりも第１端側及び第２端側が非粘着になっていて、上記剥離フィルム片が、上記テープ状部材の上記長手方向の長さよりも短く形成され、上記第１端側及び第２端側の一部又は全部をそれぞれ露出させて、該テープ状部材上に延在していても良い。
この場合、上記テープ状部材の露出した非粘着の長手方向の第１端側及び第２端側を指先で把持して長手方向に引張ることにより、該テープ状部材の上記長手方向の中間部が伸長されると同時に、上記剥離フィルム片が該長手方向の中間部から剥離し、その結果、該長手方向の中間部が露出して現れるようになっている。
【００１４】
本発明に係る上記化粧用瞼整形テープを用いた二重瞼の形成方法は、以下のステップを有するものである。
１  上記テープ状部材の上記長手方向の第１端側及び第２端側を持って上記長手方向に引張ることにより、該テープ状部材を伸長させるステップ
２  上記ステップ１で伸長させた上記テープ状部材を引張ったままの状態で上瞼に押当てることにより、上記粘着剤で上瞼に貼付けるステップ
３  上記テープ状部材の引張りを解除して、上記上瞼に貼付けた該テープ状部材の基材片を弾性的に収縮させることにより、上瞼に該テープ状部材に沿ったくびれ部を形成するステップ
４  上瞼を開いた際に、該上瞼の皮膚が上記くびれ部で折り返されて、二重瞼の襞が形成されるステップ
【００１５】
すなわち、上瞼に押当てて貼付けることができる必要長さに伸長させた上記テープ状部材を引張ったままの状態で、弾性的であるところの上瞼の皮膚に対し押当てて貼付け、次いで、引張りを解除すると、該テープ状部材のうち瞼に実際に貼付けられた部分の基材片が、瞼の皮膚の復元力に抗して弾性的に収縮することにより、その基材片の貼付部分が上瞼の皮膚に食い込んだような状態となり、その貼付部分に沿ってくびれ部が形成される。その結果、上瞼を開いた際に、上記くびれ部で上瞼の皮膚が下方に折り返されて、二重瞼の襞が形成される。
【００１６】
さらに、本発明に係る上記化粧用瞼整形テープは、以下のステップを含む製造方法によって製造することが可能である。
１  上記基材片を形成する合成樹脂から成る基材シートの両面又は片面に、粘着剤層を形成した粘着シートを準備するステップ
２  切断刃で該粘着シートを切断することにより、上記テープ状部材を含んだ化粧用瞼整形テープを得るステップ
このとき、本発明においては、特にテープ状部材が三角形又は台形に形成されているため、製造がより容易になるばかりでなく、歩留まりもより向上する。
【００１７】
ここで、本発明において、「延伸」とは、上記化粧用瞼整形テープの使用に際して、基材片を構成する例えば第１基材層等の合成樹脂片を、引張りにより伸長させて塑性変形させることを意味している。また、「弾性的収縮性」とは、上記引張りを解除した直後に弾性力を伴って収縮する上記基材片等の合成樹脂片の伸縮特性であって、瞼に擬似的な整形を施すのに必要なくびれ部の形成に寄与するものを意味している。
【発明の効果】
【００１８】
以上のように、本発明によれば、テープ状部材を所定長さに伸長させた時における該テープ状部材の弾性的収縮性（すなわち、該テープ状部材を構成する合成樹脂から成る基材片の弾性的収縮性）を利用して、瞼にくびれ部を形成することにより、瞼に擬似的な整形を施すための化粧用瞼整形テープにおいて、瞼の目頭側又は目尻側の端部における該テープ状部材の皮膚に対する接着性を改善したもの、及びそのテープを用いた二重瞼の形成方法、並びに該テープの製造方法を提供することができる。
しかも、本発明に係る化粧用瞼整形テープにおいては、上記テープ状部材が、平面視において、その第１端から第２端に向かって幅が小さくなる三角形又は台形に形成されているため、それらの製造にあたっては、歩留まりを向上させ、製造コストを抑制することができる。
【図面の簡単な説明】
【００１９】
【図１】本発明に係る化粧用瞼整形テープの第１実施形態を示す概略的な正面図である。
【図２】図１に示すテープのＤ−Ｄ拡大断面図である。
【図３】図１に示すテープの平面図である。
【図４】図１に示すテープの分解斜視図である。
【図５】図１に示すテープの貼着領域Ａの拡大図である。
【図６】本発明に係る化粧用瞼整形テープの使用方法を示す概略図１である。
【図７】本発明に係る化粧用瞼整形テープの使用方法を示す概略図２である。
【図８】本発明に係る化粧用瞼整形テープの使用方法を示す概略図３である。
【図９】本発明に係る化粧用瞼整形テープの使用方法を示す概略図４である。
【図１０】本発明に係る化粧用瞼整形テープの使用方法を示す概略図５である。
【図１１】本発明に係る化粧用瞼整形テープの使用方法を示す概略図６である。
【図１２】本発明に係る化粧用瞼整形テープの使用方法を示す概略図７である。
【図１３】本発明に係る化粧用瞼整形テープの製造方法を示す概略図１である。
【図１４】本発明に係る化粧用瞼整形テープの製造方法を示す概略図２である。
【図１５】本発明に係る化粧用瞼整形テープの製造方法を示す概略図３である。
【図１６】（ａ）−（ｈ）は、上記第１実施形態の変形例を示す平面図である。
【図１７】本発明に係る化粧用瞼整形テープの第２実施形態を示す概略的な正面図である。
【発明を実施するための形態】
【００２０】
以下に、本発明に係る化粧用瞼整形テープの実施形態について、図面を用いて詳細に説明する。なお、ここでは、化粧用瞼整形テープの一例として、一重瞼を二重瞼にするための二重瞼形成用テープを挙げて具体的に説明するが、それに限定されるものではなく、本発明に係る化粧用瞼整形テープは、二重瞼の襞の位置や形状や上下方向の幅を変えたり、下瞼に所謂涙袋を形成したり等、テープ状部材の伸長させた時の弾性的な収縮性を利用して瞼にくびれ部を形成することにより、瞼に擬似的な整形を施すための各種テープに適用することが可能である。
【００２１】
図１−図４に示すように、本発明に係る二重瞼形成用テープ１は、長手の軸ｌ方向に伸長可能で、使用長さ、すなわち、上瞼への貼付け操作に適した所定長さに伸長させた時に弾性的収縮性を有する細長い合成樹脂から成る基材片２と、該基材片２の両面に塗着された粘着剤層３，３とを有するテープ状部材４により構成されたもので、基材片２の上記伸長時における弾性的収縮性を利用して二重瞼の襞を形成するものである。
【００２２】
上記基材片２は、合成樹脂から成る第１基材層６及び第２基材層７の積層体によって細長いテープ状に形成されていて、上記所定長さまで引張って伸長させた時に、その引張力を解除しても延べ長さが引張る前の元の長さまでには戻らないように構成されている。このとき、これら基材層６，７は、接着層８によって互いに積層されている。また、上記粘着剤層３，３は、上記基材片２の表裏両面に粘着剤を全面にわたって塗着することにより形成されている。なお、粘着剤層３は必ずしも基材片２の両面に形成する必要性はなく、片面のみに形成しても良い。
【００２３】
このような基材片２及び粘着剤層３，３により構成されたテープ状部材４は、その長手の軸ｌ方向の両端に第１端４ａ及び第２端４ｂをそれぞれ有している。そして、該テープ状部材４は、上記第１端４ａ側及び第２端４ｂ側に指先での把持に供される一対の把持領域Ｈ１，Ｈ２を有すると共に、これら一対の把持領域Ｈ１，Ｈ２の間に、上記所定長さに伸長されて瞼への貼付けに供される貼着領域Ａを有している。
【００２４】
そして、上記テープ状部材４により構成された二重瞼形成用テープを用いて、上瞼に二重瞼の襞を形成するにあたっては、該テープ状部材４の上記一対の把持領域Ｈ１，Ｈ２を指先で把持して長手の軸ｌ方向に引張ることにより、上記貼着領域Ａを少なくとも目尻から目頭までの瞼の横方長さよりも大きい上記所定長さまで伸長させる（図６及び図７参照）。次に、上記貼着領域Ａを上記所定長さに伸長させたそのままの状態（張力によりピンと張ったままの状態）で、該貼着領域Ａの一部又は全部を、上瞼における擬似的な二重瞼の襞９１を形成しようとする（すなわち、くびれ部９０を形成しようとする）仮想ライン上に押当てて貼付ける（図８参照）。
【００２５】
続いて、上記把持領域Ｈ１，Ｈ２から指を離して、テープ状部材４の引張りを解除すると、上記貼着領域Ａのうち上記瞼の仮想ライン上に実際に貼付けられた部分（以下、「貼付部分」という。）が、弾性的であるところの上瞼の皮膚の復元力に抗して弾性的に収縮することにより（図９参照）、上瞼の皮膚にくい込んだような状態となって、くびれ部９０が上記仮想ラインに沿って（すなわち、上記貼付部分に沿って）形成される（図１０参照）。このとき、このテープ状部材４の貼付部分は、くびれ部９０の底部に貼付いた状態となっている。
【００２６】
その結果、上瞼を開いた際に、そのくびれ部９０で上瞼の皮膚が折り畳まれて（すなわち、くびれ部９０よりも上方の上瞼の皮膚が該くびれ部９０で下方に折り返されて）、二重瞼の襞９１が形成される（図１１及び図１２参照）。すなわち、上記テープ状部材４（具体的には、該テープ状部材４の基材片２）は、上記所定長さに引張って伸長させた状態において、二重瞼の襞を形成するのに必要なくびれ部９０の形成に寄与するような、弾性的な収縮性を有しているといえる。
なお、テープ状部材４の貼着領域Ａを上瞼に貼付けた後、把持領域Ｈ１，Ｈ２など不必要となった余剰部分は、カッターや鋏などで切断し除去される（図１２中の×印参照）。その際、上瞼に貼付けられて残ったテープ状部材４の両端部分が、本願でいうところの目尻側９２の端部及び目頭側９３の端部となる、さらに、この後、図示しないプッシャー等で二重瞼の形を整えたり、貼付けられたテープ状部材４を皮膚に馴染ませたりしても良い。
【００２７】
ところで、このように、テープ状部材を構成する基材片の伸長時における弾性的な収縮性を利用して、二重瞼の襞を形成する二重瞼形成用テープにおいては、使用の際に、テープ状部材を伸長させて引張ったままの状態で、上瞼の上記仮想ライン上に押当てて貼付ける。ところが、上瞼の皮膚は眼球に沿って湾曲した凸曲面に形成されていて弾性を有しており、しかも眼球周りの骨格が上記押当てや貼付け操作に影響を及ぼすことから、上記仮想ライン全体に上記テープ状部材を均等な押圧力で押当てて、テープ状部材における上瞼に貼付けた部分の長手方向全体に亘って十分な接着性を確保することは必ずしも容易ではない。
そのため、使用者によっては、上記テープ状部材における上瞼に貼付けた部分のうち、特に目尻側及び／又は目頭側の端部において、剥がれてしまい易くなることがあった。
【００２８】
そこで、上記二重瞼形成用テープ１においては、図３及び図４に示すように、テープ状部材４の平面形状、すなわち基材片２の平面形状を、上記第１端４ａから上記第２端４ｂに向かって全長に亘り連続的に幅が小さくなる三角形とした。具体的には、テープ状部材４の長手方向に延びる第１の側端面４ｃと第２の側端面４ｄとが上記第２端４ｂで鋭角を成し、該第１の側端面４ｃと上記第１端４ａの端面とが直角を成すように形成された直角三角形とした。そうすることにより、上記貼着領域Ａの長手方向の全領域が、上記第１端４ａ側から第２端４ｂ側に向かって幅が連続的に小さくなる幅縮小区間となっている。
なお、後述するが、上記貼着領域Ａの全領域が幅縮小区間となっている必要性はなく、貼着領域Ａは、このような幅縮小区間を１区間のみ有し、且つ、該幅縮小区間よりも上記第１端４ａ側に、該幅縮小区間における基材片２の最大幅（すなわち、該幅縮小区間におけるテープ状部材４の最大幅）よりも小さい幅の部分を有していなければ良い。
【００２９】
上記二重瞼形成用テープ１においては、上記テープ状部材４の一対の把持領域Ｈ１，Ｈ２を指先で把持して貼着領域Ａを長手の軸ｌ方向に引張ると、上述のように基材片２の伸長に伴って該貼着領域Ａが伸長されていくが、該貼着領域Ａの基材片２は、その幅がより小さい部分から、より大きい部分に向けて順次伸長されていくこととなる。このとき、上記貼着領域Ａは、上記基材片２の幅が大きい部分ほど接着面積及び粘着剤量が大となるため皮膚への接着性に優れており、また、該貼着領域Ａを伸長させていくと同時に粘着剤層３も延ばされて薄くなっていくことから、伸長率が小さい部分ほど皮膚への接着性に優れている。
【００３０】
すなわち、上記テープ状部材４の基材片２は、その横断面積が小さい部分ほど引張りに対する強度が弱くなるため、上述のような三角形に形成されたテープ状部材４の貼着領域Ａにおいては、基材片２の幅がより小さい上記第２端４ｂ側から、基材片２の幅がより大きい第１端４ａ側に向けて順次伸長されていくこととなる。その結果、当該貼着領域Ａを上記所定長さに伸長させたときに、該貼着領域Ａの第１端４ａ側において、より優れた接着性を確保することが可能となる。
【００３１】
したがって、上瞼の目尻側９２又は目頭側９３のうちテープ状部材がより剥がれ易い方に、上記貼着領域Ａの第１端４ａ側を貼付けることにより、その貼付部分の上瞼に対する接着性を、目尻側９２又は目頭側９３の端部において改善することが可能となる。その一方で、上記貼着領域Ａの上記第２端４ｂ側の部分においては、基材片２の幅がより小さくなるため、伸長させて上瞼に貼付けた際に、テープ状部材４をより目立ち難くすることができる。図８及び図９の使用例においては、目尻側９２に上記貼着領域Ａの第１端４ａ側を配し、目頭側９３に上記貼着領域Ａの第２端４ｂ側を配している。
また、テープ状部材４を三角形にすると、製造も容易で、歩留まりを向上させることができるため、製造コストを抑制することも可能となる。
【００３２】
なお、上記基材片２の第１基材層６は、上記貼着領域Ａを引張りにより上記所定長さに伸長させたときに、延伸されてその延伸後においても弾性的収縮性を有している、エラストマー樹脂を除く合成樹脂フィルム片、好ましくはポリオレフィン樹脂フィルム片により形成されている。さらに、このようなポリオレフィン樹脂フィルム片のうちでも特に低密度ポリエチレンフィルム片が、延伸性や延伸後の収縮特性等の観点からより好適である。  また、上記ポリオレフィン樹脂フィルム片は、フィルム製造時の軸延伸がその長手の軸ｌ方向に対して無延伸又は極めて低延伸倍率で、指先で把持して伸長させた時にネッキングを伴って延伸するものがより好適である。
【００３３】
このように、第１基材層６を、長手の軸ｌ方向に対して無延伸又は極めて低延伸倍率のポリオレフィン樹脂フィルムで形成することにより、貼着領域Ａを上記所定長さに伸長させる過程で、テープ状部材４の幅が小さい該貼着領域Ａの第２端４ｂ側において、該第１基材層６の延伸の進行が抑制される。そのため、該基材片２の幅すなわちテープ状部材４の幅が小さくなり過ぎることがなく、必要な接着性を確保することができる。
【００３４】
また、上記基材片２の第２基材層７は、上記貼着領域Ａを引張りにより上記第１基材層６と同じ所定長さに伸長させたときに、該第１基材層６よりも小さい収縮力（好ましくは、１／２以下）と大きい収縮率を有するエラストマー樹脂フィルム片により形成されていることが望ましいが、その中でも特に、ポリウレタン樹脂フィルム片により形成されていることが、上記低密度ポリエチレンフィルム片との組合わせの観点からより望ましい。
【００３５】
このように、第１基材層６の弾性的収縮性と第２基材層７の弾性的収縮性とを組合わせることにより、基材片２の総断面積を抑制しながら、該基材片２の弾性的収縮性、すなわちテープ状部材４の弾性的収縮性を、二重になり易い瞼から二重になり難い瞼まで、様々な上瞼の状態に幅広く対応させることができる。本実施形態のように、上記第１基材層６が上記低密度ポリエチレンにより形成され、上記第２基材層７がポリウレタン樹脂により形成されている場合には、例えば、上記第１基材層６の厚さを約７０−８０μｍの範囲、第２基材層の厚さを約７−９μｍの範囲において設定すると、好ましい基材片２の伸縮特性を得ることができる。
【００３６】
基材片２をこのような積層体で形成した二重瞼形成用テープについては、出願人の先の出願（特開２０１４−２１２８４７号）において明らかにされているため、参照により本願に含めることとし、ここでは、より具体的な説明は省略することとする。また、基材片２を形成する基材層の組合わせは必ずしも上述したものである必要性はないが、少なくとも上記第１基材層６を含んでいることが望ましい。
【００３７】
ここで、上記第１基材層６及び第２基材層７は、必ずしも上述のように接着層８を介在させて積層されている必要性はなく、例えば、第１基材層６に第２基材層７を塗着して固化させたり、両基材層６，７を熱プレスで一体化させたりするなどして、第１基材層６のと第２基材層７とを互いに直接的に接合することにより、両基材層６，７を一体的に成形しても良い。
さらに、基材片２は必ずしも合成樹脂フィルム片の積層体により形成されている必要性はなく、単層の合成樹脂フィルム片により形成されていても良い。その場合、該基材片２は、上記第１基材層６により形成されていることが好ましく、特に低密度ポリエチレンフィルム片により形成されているとより好ましい。
【００３８】
上記粘着剤層３及び接着層８を形成する粘着剤は、人間の皮膚に適したものであれば特に限定されるものではないが、同じアクリル系粘着剤が好適に用いられる。また、粘着剤層３，３同士及び接着層８を互いに異なる種類や厚さの粘着剤により形成しても良い。さらに、上記粘着剤層３は、基材片２の両面又は片面の全面に亘って設けられているが、例えば、該基材片２における上記テープ状部材４の貼着領域Ａに対応する部分のみに形成されていても良い。
【００３９】
さらに、上記テープ状部材４の各寸法に関して、上記貼着領域Ａの長さは、使用者の好みに依るため、特に限定されるものではないが、実際の操作性等を考慮すると、好ましくは伸長前の長さが約０．５−２．０ｃｍの範囲で、伸長後の長さが約４．０−１６．０ｃｍの範囲であり、標準的には伸長前の長さが約１．０ｃｍで、伸長後の長さが約８．０ｃｍである。その際の伸長倍率は、操作性と共に、上記基材片２等の合成樹脂片におけるより有効な弾性的収縮性を考慮すると、約８．０倍であることが好ましいが、特にそれに限定されるものではなく、使用者の好みに応じて変更することができるのは勿論である。
【００４０】
上記一対の把持領域Ｈ１，Ｈ２は、操作性を考慮すると約０．５−１．０ｃｍの範囲であることが好ましい。
したがって、上記テープ状部材４の長さＬは、約１．５−４．０ｃｍの範囲であることが好ましいが、より好ましくは、約２．５−３．０ｃｍである。
さらに、上記貼着領域Ａにおいて、テープ状部材４の幅（すなわち、基材片２の幅）は、最も小さい部分で０．６ｍｍ以上、最も大きい部分で５．０ｍｍ以下であることが実用上望ましく、上記第１の側端面４ｃと第２の側端面４ｄとが成す角度は、図３のように直角三角形とした場合、上記各寸法を考慮すると約４−２６度の範囲であることが望ましい。
【００４１】
次に、上述のようなテープ状部材４により構成された二重瞼形成用テープ１の第１実施形態について、図１−図５を用いて説明する。
本発明の第１実施形態に係る二重瞼形成用テープは、上記三角形のテープ状部材４と、上記粘着剤層３，３における基材片２と逆側の外方向を向く各表面に貼着された２つの剥離シート片５、５とを有している。該剥離シート片５は、上記粘着剤層３に対して易剥離性を有する合成樹脂により形成されていて、上記テープ状部材４と同じ形状を有しており、上記粘着剤層３の全表面を覆って貼着されている。
【００４２】
さらに、剥離シート片５は、その長手の軸ｌ方向の中央（すなわち、長手の軸ｌ方向における貼着領域Ａに対応する位置）に、長手の軸ｌ方向への引張り操作により破断する易破断部５ａを有している。該易破断部５ａは、剥離シート片５の粘着剤層３と接する第１面５ｂ（図中、内面）から第２面５ｃ（図中、外面）側に向けて、該剥離シート片５の厚さの中間まで切込み（すなわち、スリット）を入れたもので、幅方向に全幅に亘って設けられている。
なお、易破断部５ａの形態は切込みに限定されるものではなく、例えばＶ字状のノッチなど、剥離シート片５の肉厚を局部的に薄くするような形態で形成されていても良い。
【００４３】
ここで、上記剥離シート片５は、粘着剤層３，３に対する易剥離性と上記易破断部５ａにおける破断性とを兼ね備えたシリコーン樹脂によって一体に成形されている。このシリコーン樹脂は、硬度がより高いものである程、上記破断性に優れているため好ましく、その厚さは０．３〜０．５ｍｍ程度であることが望ましい。
そして、上記剥離シート片５における粘着剤層３と接する第１面５ｂは鏡面に、それと反対側の第２面５ｃは微細な粗面に形成されており、製造段階において、該剥離シート片５の第１面５ｂと第２面５ｃを反転させて粘着剤層３と接する面を入れ替えることにより、該剥離シート片５と粘着剤層３との剥離性（密着性）を調整することができるようになっている。
【００４４】
このような第１実施形態に係る二重瞼形成用テープ１を使用するにあたっては、上記テープ状部材４の一対の把持領域Ｈ１，Ｈ２をこの剥離シート片５．５を介して把持し（図６参照）、該テープ状部材４を長手の軸ｌ方向に引張る。そうすると、該剥離シート片５，５が、上記易破断部５ａ，５ａで破断すると共に、該テープ状部材４の貼着領域Ａの粘着剤層３，３から剥離し、その結果、該テープ状部材４の貼着領域Ａを伸長させて、その全体を露出させることができるようになっている（図７参照）。その後の使用方法及び作用効果については、上述した通りであるから、重複記載を避けるため、ここでは説明を省略する。
【００４５】
続いて、このような本発明の第１実施形態に係る二重瞼形成用テープの製造方法について図１３−図１５を用いて説明する。
まず、図１３に示すように、上記第１基材層６を形成するための第１層フィルム（例えば、低密度ポリエチレンフィルム）６０と、上記第２基材層７を形成するための第２層フィルム（例えば、ポリウレタン樹脂フィルム）７０との積層体から成る基材フィルム２０の表裏面全体に、粘着剤を塗着して上記粘着剤層３，３を形成した両面粘着シート４０を準備する。
この両面粘着シート４０は、例えば、上記第１層フィルム６０の両面全体に、粘着剤を塗着して上記粘着剤層３及び接着層８を形成して成る両面粘着フィルムと、上記第２層フィルム７０の片面全体に粘着剤を塗着して上記粘着剤層３を形成して成る片面粘着フィルムとを、各フィルムの粘着剤層３を外側にして重ね合わせ、接着層８で互いに接合することにより作成することができる。
【００４６】
また、その一方で、硬度の高いシリコーン樹脂を熱成型することにより、第１面５０ｂ（図中、内面）が鏡面でそれと反対側の第２面５０ｃ（図中、外面）が粗面である剥離シート５０を作成し、その上記第１面５０ｂに、該第１面５０ｂから第２面５０ｃに向けて厚さ方向の中間まで切込まれて、互いに等間隔で平行を成す易破断線５０ａを形成する。
なお、上記両面粘着シート４０と剥離シート５０とは、互いに同じ縦横寸法に形成されていることが望ましい。
【００４７】
そして、図１３に示すように、２枚の剥離シート５０，５０と両面粘着シート４０とを、各剥離シート５０の第１面５０ｂを両面粘着シート４０の各粘着剤層３の表面にそれぞれ対向させて、相互に貼着させることにより、図１４に示す積層シート１０を作成する。このとき、剥離シート５０，５０の易破断線５０ａ，５０ａは互いに平行を成して対向配置されている。
なお、上記両面粘着シート４０の第１層フィルム６０がポリオレフィン樹脂フィルムである場合には、当該フィルムを、その製造時の送り方向と直角を成す幅方向について無延伸又は極めて低延伸倍率のものとし、そのフィルムの幅方向が、上記剥離シート５０の易破断線５０ａと直角を成すように、上記剥離シート５０，５０と両面粘着シート４０とを貼り合わせることが望ましい。
【００４８】
続いて、図１４に示すように、上記積層シート１０を、互いに隣接する易破断線５０ａ間の中央で該易破断線５０ａと平行に裁断して細長い短冊状積層シート１１を形成し、さらに、図１５に示すように、該短冊状積層シート１１を、上記易破断線５０ａと直角方向に延びる切断刃（図示略）と、それと鋭角を成して延びる切断刃（図示略）との組合わせにより細く裁断する。その結果、上記易破断部５ａが長手方向の中央に設けられ、直角三角形を成した上記二重瞼形成用テープ１を得ることができる。
【００４９】
次に、本発明の第１実施形態に係る二重瞼形成用テープの各変形例について、図１６を用いて説明する。なお、上記第１実施形態に係る二重瞼形成用テープ１とこれら変形例とでは、主に平面形状（特に、貼着領域Ａの形状）において相違しており、その他の構成やその作用効果においては実質的に同じである。
そこで、ここでは、上記二重瞼形成用テープ１と実質的に同じ構成及び作用効果については、重複を避けるため説明を省略することとする。
【００５０】
まず、図１６（ａ）−（ｃ）に示す二重瞼形成用テープ１ａ−１ｃにおいては、上記第１実施形態に係る二重瞼形成用テープ１と同様に、テープ状部材４の幅が、第１端４ａから第２端４ｂに向かって全長に亘り連続的に小さくなっている。そのため、長手方向において、貼着領域Ａの全領域が、上記第１端４ａ側から第２端４ｂ側に向かって幅が連続的に小さくなる幅縮小区間となっている。（ａ）のテープ１ａは、長手方向に直線状に延びる第１の側端面４ｃが、幅方向に直線状に延びる第１端４ａ及び第２端４ｂの端面と直角を成すと共に、上記第２端４ｂの端面が上記第１端４ａの端面よりも短い台形に形成されている。すなわち、長手方向に直線状に延びる第２の側端面４ｄが、上記第１の側端面４ｃとの間の距離（幅）が上記第１端４ａから上記第２端４ｂに至るまで連続的に小さくなるように、上記第１の側端面４ｃに対して傾斜している。また（ｂ）のテープ１ｂは、第１及び第２の側端面４ｃ，４ｄの長さが等しい二等辺三角形に形成されている。そして（ｃ）のテープ１ｃは、第１の側端面４ｃが第１端４ａの端面と直角を成し、第２の側端面４ｄが外側に凸の滑らかな曲面に形成されている。
【００５１】
図１６（ｄ）のテープ１ｄにおいては、テープ状部材４の貼着領域Ａが、その第１端４ａ側及び第２端４ｂ側の端部に、隣接する各把持領域Ｈ１，Ｈ２と同幅に形成された幅一定区間を有すると共に、これら幅一定区間に挟まれた部分に、第１端４ａ側から第２端４ｂ側に向けて連続的に幅が小さくなる幅縮小区間を１区間のみ有している。なお、上記剥離シート片５の易破断部５ａは、上記幅縮小区間の中央に配されている。また、把持領域Ｈ１の幅は把持領域Ｈ２の幅よりも大きくなっている。
以上の二重瞼形成用テープ１ａ−１ｄは、上記テープ１と同様に、長手方向に伸張させた時に、貼着領域Ａの第１端４ａ側において、より優れた瞼への接着性を確保することが可能となり、伸張させて瞼に貼り付ける際に、目尻側９２又は目頭側９３の端部の何れかにおいて、瞼への接着性を改善することができる。
【００５２】
図１６（ｅ）−（ｈ）のテープ１ｅ−１ｈにおいては、テープ状部材４の貼着領域Ａの幅が、その第１端４ａ側及び第２端４ｂ側から長手方向の中央に向かって連続的に小さくなり、長手方向の中央の易破断部５ａの位置において最小となっている。そのため、貼着領域Ａは、長手方向において、易破断部５ａよりも第１端４ａ側の部分が、該第１端４ａ側から第２端４ｂ側に向けて幅が連続的に小さくなる幅縮小区間を成している。一方、易破断部５ａよりも第２端４ｂ側の部分が、第１端４ａ側から第２端４ｂ側に向けて幅が連続的に大きくなる幅拡大区間を成している。
【００５３】
（ｅ）のテープ１ｅにおいては、テープ状部材４の第１の側端面４ｃが、第１端４ａ及び第２端４ｂの端面と直角を成していて、第２の側端面４ｄが、第１端４ａ及び第２端４ｂから中央の易破断部５ａに向けて平面視直線状に傾斜している。また（ｆ）のテープ１ｆにおいては、第１及び第２の側端面４ｃ，４ｄの全体が、凹曲面に形成されている。そして（ｇ）のテープ１ｇにおいては、第１及び第２の側端面４ｃ，４ｄが、第１端４ａと中心の易破断部５ａと間、及び第２端４ｂと中心の易破断部５ａとの間で、それぞれ凸曲面に形成されている。さらに、（ｈ）のテープ１ｈにおいては、テープ状部材４の貼着領域Ａが、その第１端４ａ側及び第２端４ｂ側の端部に、隣接する各把持領域Ｈ１，Ｈ２と同幅に形成された幅一定区間を有している。そして、これら幅一定区間に挟まれた部分に、上記幅縮小区間及び幅拡大区間が形成されている。ここで、これら幅縮小区間及び幅拡大区間においては、第１の側端面４ｃ及び第２の側端面４ｄが平面視直線状の傾斜面を成しており、把持領域Ｈ１の幅は把持領域Ｈ２の幅と略等しくなっている。
【００５４】
以上の二重瞼形成用テープ１ｅ−１ｈは、長手方向に伸張させた時に、貼着領域Ａが長手方向の中央（テープ幅が最小の位置）から、第１端４ａ及び第２端４ｂの双方向に対して順次伸長されていく。そして、貼着領域Ａにおける第１端４ａ側及び第２端４ｂ側において、より優れた瞼への接着性を確保することが可能となり、伸張させて瞼に貼付けた際に、目尻側９２及び目頭側９３の端部の双方において、瞼への接着性を改善することができる。
【００５５】
なお、本発明に係る化粧用瞼整形テープの形状は、必ずしも上述したものに限られるものではなく、テープ状部材４の貼着領域Ａが、第１端４ａ側から第２端４ｂ側に向けて幅が連続的に小さくなる幅縮小区間を１区間のみ含んでいて、且つ、該幅縮小区間よりも上記第１端４ａ側に、該幅縮小区間における基材片２の最大幅（すなわち、該幅縮小区間におけるテープ状部材４の最大幅）よりも小さい幅の部分を有していなければ良い。
【００５６】
次に、本発明に係る化粧用瞼整形テープの第２実施形態について、図１７を用いて説明をする。なお、ここでは、上記第１実施形態と異なる構成及びその作用効果について主に説明することとし、実質的に同じ構成及びその作用効果については、重複を避けるため説明を省略することとする。また、第２実施形態についても、二重瞼形成用テープを例に挙げて説明することとする。
【００５７】
図１７に示す二重瞼形成用テープ１２は、上記テープ１における剥離シート片５に代えて、上記粘着剤層３に対して易剥離性を有するフィルムにより形成され、上記テープ状部材４の貼着領域Ａに上記粘着剤層３を覆って貼着された剥離フィルム片９と、上記テープ状部材４の一対の把持領域Ｈ１，Ｈ２をそれぞれ非粘着とする把持フィルム片４ｅとを設けたものである。上記テープ状部材４を構成する基材片２は、上記第１実施形態のものと同じであるから、ここでは説明を省略する。
【００５８】
上記剥離フィルム片９は、長手方向において上記テープ状部材４よりも短く形成されており、例えば、紙にシリコーン樹脂を積層した剥離紙から成っている。また、上記把持フィルム片４ｅは、上記テープ状部材４の粘着剤層３に固定的に貼付けられて上記一対の把持領域Ｈ１，Ｈ２を形成しており、例えば、薄い紙や樹脂フィルム等から成っている。そして、上記剥離フィルム片９は、上記第１端４ａ側及び第２端４ｂ側に上記把持領域Ｈ１，Ｈ２の一部をそれぞれ露出させて、該テープ状部材４の長手方向に延在している。なお、上記剥離フィルム片９は、上記把持領域Ｈ１，Ｈ２の全部をそれぞれ露出させるような長さであっても良い。
【００５９】
このような第２実施形態に係る二重瞼形成用テープ１２を使用するにあたっては、まず、上記テープ状部材４の露出した非粘着の把持領域Ｈ１，Ｈ２を指先で把持して、貼着領域Ａを長手方向に引張る。そうすると、該テープ状部材４の上記貼着領域Ａが伸長されると同時に、上記剥離フィルム片９，９が該貼着領域Ａの両面から剥離し、その結果、該貼着領域Ａが露出して現れるようになっている。その後の使用方法及び作用効果につていは、上述した通りであるから、重複記載を避けるため、ここでは説明を省略する。
【００６０】
以上において、本発明の各実施形態や変形例について詳細に説明してきたが、本願発明はそれらに限定されるものではなく、本願発明の要旨から逸脱しない範囲において、様々な設計変更ができることは言うまでもない。
例えば、本発明に係る化粧用瞼整形テープは、下瞼に膨らみ（所謂、涙袋）を形成するテープとしても使用することができる。その場合には、上述した二重瞼を形成する場合と同様に、上記テープ状部材４を長手方向に引張って、その貼着領域Ａを所定長さに伸長させたままの状態で、該貼着領域Ａを下瞼における膨らみを形成する下方位置に押当てて貼付ける。そして、上記テープ状部材４の引張りを解除すると、基材片２の弾性的収縮性により上記貼着領域Ａの該テープ状部材４が当該位置にくい込んだ状態となって、そこに該テープ状部材４に沿ったくびれ部が形成される。そうすると、その下瞼に形成されたくびれ部の上方に膨らみが形成されて、目元に立体感をもたせることができる。このように、本発明に係る化粧用瞼整形テープを涙袋形成用テープに適用する場合には、テープ状部材４の長さを上記二重瞼形成用テープよりも短くしても良い。
【符号の説明】
【００６１】
１，１２    二重瞼形成用テープ（化粧用瞼整形テープ）
２    基材片
３    粘着剤層
４    テープ状部材
４ａ  第１端
４ｂ  第２端
４ｃ  第１の側端面
４ｄ  第２の側端面
４ｅ  把持フィルム片
５    剥離シート片
５ａ  易破断部
６    第１基材層
７    第２基材層
８    接着層
９０  くびれ部
９１  襞
９２  目尻側
９３  目頭側
Ａ    貼着領域
Ｈ１，Ｈ２  把持領域
【図１】
0006712446.tif 000002
【図２】
0006712446.tif 000003
【図３】
0006712446.tif 000004
【図４】
0006712446.tif 000005
【図５】
0006712446.tif 000006
【図６】
0006712446.tif 000007
【図７】
0006712446.tif 000008
【図８】
0006712446.tif 000009
【図９】
0006712446.tif 000010
【図１０】
0006712446.tif 000011
【図１１】
0006712446.tif 000012
【図１２】
0006712446.tif 000013
【図１３】
0006712446.tif 000014
【図１４】
0006712446.tif 000015
【図１５】
0006712446.tif 000016
【図１６】
0006712446.tif 000017
【図１７】
0006712446.tif 000018